(57)【要約】【課題】噴射孔近傍での還元剤の結晶化を防止し、還元剤を安定的に噴射することができる内燃機関の排気浄化装置及び排気浄化方法を提供する。【解決手段】内燃機関の排気通路中に配置され、内燃機関から排出される排気ガス中のＮＯXを選択的に還元するためのＮＯX触媒と、ＮＯX触媒の上流側で排気通路内に還元剤を噴射するための還元剤噴射装置と、を備えた内燃機関の排気浄化装置であって、還元剤噴射装置は、貯蔵タンクから圧送されてくる還元剤を噴射する噴射弁と、噴射弁から噴射された還元剤を微粒化するための圧縮エア供給手段と、還元剤をＮＯX触媒の上流側で排気通路内に噴射する噴射孔と、を備え、噴射弁と噴射孔との間に、還元剤を、当該還元剤の主成分の融点以上に加熱するための加熱手段を備えることを特徴とする。【選択図】図３
2007231894.tif 000002
【特許請求の範囲】
【請求項１】
内燃機関の排気通路中に配置され、前記内燃機関から排出される排気ガス中のＮＯXを選択的に還元するためのＮＯX触媒と、前記ＮＯX触媒の上流側で前記排気通路内に還元剤を噴射するための還元剤噴射装置と、を備えた内燃機関の排気浄化装置において、
前記還元剤噴射装置は、貯蔵タンクから圧送されてくる還元剤を噴射する噴射弁と、前記噴射弁から噴射された前記還元剤を微粒化するための圧縮エア供給手段と、前記還元剤を前記ＮＯX触媒の上流側で前記排気通路内に噴射する噴射孔と、を備え、
前記噴射弁と噴射孔との間に、前記還元剤を、当該還元剤の主成分の融点以上に加熱するための加熱手段を備えることを特徴とする内燃機関の排気浄化装置。
【請求項２】
前記噴射孔を前記排気通路の内周面と実質的に同一の面に備えることを特徴とする請求項１に記載の内燃機関の排気浄化装置。
【請求項３】
前記内燃機関の運転状態をもとに前記噴射孔近傍における前記還元剤の温度を推定するとともに、推定される温度が所定範囲内の温度である場合に、前記加熱手段を作動させることを特徴とする請求項１又は２に記載の内燃機関の排気浄化装置。
【請求項４】
前記噴射弁と噴射孔との間に前記還元剤の温度測定手段を備えるとともに、測定される温度をもとに前記制御手段の補正を行う補正手段を備えることを特徴とする請求項３に記載の内燃機関の排気浄化装置。
【請求項５】
前記推定される温度が所定範囲内の温度であっても、前記還元剤の噴射量が所定量以上の場合には前記加熱手段の作動を停止することを特徴とする請求項３又は４に記載の内燃機関の排気浄化装置。
【請求項６】
前記温度測定手段が熱電対であることを特徴とする請求項４又は５に記載の内燃機関の排気浄化装置。
【請求項７】
前記加熱手段がグロープラグであることを特徴とする請求項１〜６のいずれか一項に記載の内燃機関の排気浄化装置。
【請求項８】
前記グロープラグを前記噴射弁と噴射孔との間の還元剤通路内に備え、前記グロープラグと対峙する前記還元剤通路の内面を凹凸面とすることを特徴とする請求項７に記載の内燃機関の排気浄化装置。
【請求項９】
内燃機関から排出される排気ガス中に噴射孔を介して還元剤を噴射し、当該還元剤が混合された排気ガスをＮＯX触媒に流入させることにより、前記排気ガス中のＮＯXを選択的に還元して前記排気ガスを浄化する内燃機関の排気浄化方法において、
前記噴射孔近傍における前記還元剤の温度が所定範囲内の温度である場合に、加熱手段を作動させることにより、前記還元剤を、当該還元剤の主成分の融点以上に加熱することを特徴とする内燃機関の排気浄化方法。
【請求項１０】
前記還元剤の温度が所定範囲内の温度であっても、前記還元剤の噴射量が所定量以上の場合には前記加熱手段の作動を停止することを特徴とする請求項９に記載の内燃機関の排気浄化方法。
【請求項１１】
前記内燃機関の停止時に前記加熱手段を作動させ、前記噴射孔に付着した前記還元剤を、当該還元剤の主成分の融点以上に加熱することを特徴とする請求項９又は１０に記載の内燃機関の排気浄化方法。
【発明の詳細な説明】
【技術分野】
【０００１】
本発明は、内燃機関の排気浄化装置及び排気浄化方法に関する。特に、還元剤を用いて排気ガス中のＮＯXを選択的に還元させる内燃機関の排気浄化装置及び排気浄化方法に関する。
【背景技術】
【０００２】
従来、ディーゼルエンジン等の内燃機関から排出される排気ガス中には、環境汚染を及ぼす窒素酸化物（以下、ＮＯXと称する）等が含まれている。このＮＯXを還元して排気ガスを浄化するために用いられる浄化装置としてＳＣＲ（Selective Catalytic Reduction）システムが知られている。
【０００３】
このＳＣＲシステムは、ＮＯX触媒に流入する排気ガス中に尿素や燃料ガス（ＨＣ）等の還元剤を供給し、ＮＯX触媒においてＮＯX（ＮＯやＮＯ2）と還元剤とを還元反応させることにより、窒素や水、二酸化炭素等に分解して放出するものである。かかるＳＣＲシステムにおける還元剤の供給方法としては、図８に示すように、タンク３０７内に貯蔵された液体の還元剤を、液体還元剤供給ポンプ３０６によって液体の還元剤を圧送し、排気管３０２内に配置された噴射ノズル３２０を介して、ＮＯXを吸収した触媒３０３に対して供給することが一般的である。
【０００４】
ここで、液体のＮＯXの還元剤は、例えば、尿素水やアンモニア水溶液であり、この液体の還元剤が供給経路の途中で固化した場合には、触媒に対して効率的に供給することができなくなる。
そのため、寒冷時における貯蔵タンクや供給管系の凍結を防ぐ装置手段を備えた排気ガスの浄化装置が開示されている。より具体的には、図８に示すように、液体還元剤の貯蔵タンク３０７及び供給管系の全体ないし主要部分にわたって電熱線３０９を配置し、その上に断熱材包囲層３１７を設け、さらに必要に応じて貯蔵タンク３０７内にも電熱線加熱手段３０９を設け、外気温度及び／または還元剤温度に応じてそれらの電熱線３０９に外部から通電し及びその通電を遮断し液体還元剤の凍結を防止する適宜な温度範囲を維持することができる排気ガスの浄化装置である（特許文献１参照）。
【特許文献１】特開２０００−２７６２７号公報  （特許請求の範囲  図１）
【発明の開示】
【発明が解決しようとする課題】
【０００５】
しかしながら、特許文献１に開示された排気ガスの浄化装置は、寒冷時における貯蔵タンクや供給管系での液体還元剤の凍結を防止することはできるものの、排気通路に配置された噴射孔の近傍において液体還元剤の主成分が結晶化した場合には、速やかに溶解させることができないものである。すなわち、尿素水溶液やアンモニア水溶液は、凍結による場合のみならず、水分の蒸発による結晶化を生じる場合があるため、還元剤噴射後に噴射孔に還元剤が残留していると、当該噴射孔の近傍において還元剤の主成分が結晶化して、噴射孔が詰まってしまうおそれがある。
【０００６】
例えば、エアアシストタイプの還元剤噴射装置の場合には、還元剤は微粒化されており、受熱面積が大きくなることから、噴射量が比較的少ない場合に還元剤の主成分が結晶化しやすいことが知られている。また、圧力噴射タイプの還元剤噴射装置の場合には、内燃機関の停止時に、通路内に残存した還元剤が排気管の予熱によって加熱され、結晶化を生じやすいことが知られている。この場合に、貯蔵タンクや供給管系を、凍結を防止し得る温度（例えば、５０℃）で加熱したとしても、これによって噴射孔先端の結晶化した還元剤の主成分を溶解させるには、相当の時間を要することになると考えられる。したがって、還元剤の噴射が不安定になったり、噴射自体が不可能になったりするおそれがあった。
【０００７】
そこで、本発明の発明者らは鋭意努力し、ＳＣＲシステムを備えた内燃機関の排気浄化装置において、液体還元剤の噴射弁と排気通路内に還元剤を噴射するための噴射孔との間に所定の加熱手段を備えることにより、このような問題を解決できることを見出し、本発明を完成させたものである。
すなわち、本発明の目的は、ＳＣＲシステムの噴射孔近傍における還元剤の主成分の結晶化を防止して還元剤供給経路の詰まりを防ぎ、還元剤を安定的に噴射することができる内燃機関の排気浄化装置及びそのような排気浄化装置を用いた排気浄化方法を提供することである。
【課題を解決するための手段】
【０００８】
本発明によれば、内燃機関の排気通路中に配置され、内燃機関から排出される排気ガス中のＮＯXを選択的に還元するためのＮＯX触媒と、ＮＯX触媒の上流側で排気通路内に還元剤を噴射するための還元剤噴射装置と、を備えた内燃機関の排気浄化装置であって、還元剤噴射装置は、貯蔵タンクから圧送されてくる還元剤を噴射する噴射弁と、噴射弁から噴射された還元剤を微粒化するための圧縮エア供給手段と、還元剤をＮＯX触媒の上流側で排気通路内に噴射する噴射孔と、を備え、噴射弁と噴射孔との間に、還元剤を、当該還元剤の主成分の融点以上に加熱するための加熱手段を備えることを特徴とする内燃機関の排気浄化装置が提供され、上述した問題を解決することができる。
【０００９】
また、本発明の内燃機関の排気浄化装置を構成するにあたり、噴射孔を排気通路の内周面と実質的に同一の面に備えることが好ましい。
【００１０】
また、本発明の内燃機関の排気浄化装置を構成するにあたり、内燃機関の運転状態をもとに噴射孔近傍における還元剤の温度を推定するとともに、推定される温度が所定範囲内の温度である場合に、加熱手段を作動させることが好ましい。
【００１１】
また、本発明の内燃機関の排気浄化装置を構成するにあたり、噴射弁と噴射孔との間に還元剤の温度測定手段を備えるとともに、測定される温度をもとに制御手段の補正を行う補正手段を備えることが好ましい。
【００１２】
また、本発明の内燃機関の排気浄化装置を構成するにあたり、推定される温度が所定範囲内の温度であっても、還元剤の噴射量が所定量以上の場合には加熱手段の作動を停止することが好ましい。
【００１３】
また、本発明の内燃機関の排気浄化装置を構成するにあたり、温度測定手段が熱電対であることが好ましい。
【００１４】
また、本発明の内燃機関の排気浄化装置を構成するにあたり、加熱手段がグロープラグであることが好ましい。
【００１５】
また、本発明の内燃機関の排気浄化装置を構成するにあたり、グロープラグを噴射弁と噴射孔との間の還元剤通路内に備え、グロープラグと対峙する還元剤通路の内面を凹凸面とすることが好ましい。
【００１６】
また、本発明の別の態様は、内燃機関から排出される排気ガス中に噴射孔を介して還元剤を噴射し、当該還元剤が混合された排気ガスをＮＯX触媒に流入させることにより、排気ガス中のＮＯXを選択的に還元して排気ガスを浄化する内燃機関の排気浄化方法であって、噴射孔近傍における還元剤の温度が所定範囲内の温度である場合に、加熱手段を作動させることにより、還元剤を、当該還元剤の主成分の融点以上に加熱することを特徴とする内燃機関の排気浄化方法である。
【００１７】
また、本発明の内燃機関の排気浄化方法を実施するにあたり、還元剤の温度が所定範囲内の温度であっても、還元剤の噴射量が所定量以上の場合には加熱手段の作動を停止することが好ましい。
【００１８】
また、本発明の内燃機関の排気浄化方法を実施するにあたり、内燃機関の停止時に加熱手段を作動させ、噴射孔に付着した還元剤を、当該還元剤の主成分の融点以上に加熱することが好ましい。
【発明の効果】
【００１９】
本発明の内燃機関の排気浄化装置によれば、噴射孔近傍に加熱手段を備えることにより、還元剤が結晶化しやすい温度領域にある場合に当該加熱手段を作動させて、還元剤の結晶化を防止することができる。したがって、排気通路内に還元剤を安定的に噴射可能な排気浄化装置を提供することができる。
また、この加熱手段を、噴射孔近傍における還元剤の温度に基づいて作動させる制御手段を備えることにより、加熱手段の作動を最小限に抑えることができるとともに、より適切なタイミングで作動させることができる。
【００２０】
また、本発明の内燃機関の排気浄化方法によれば、噴射孔近傍における還元剤の温度に基づいて、噴射孔近傍に配置された加熱手段を作動させることにより、還元剤が結晶化しやすい温度領域にある場合に速やかに加熱手段を作動させて、還元剤が結晶化することを有効に防止することができる。したがって、排気通路内に還元剤を安定的に噴射させることができ、排気ガス中のＮＯXを効率的に還元除去することができる。
【発明を実施するための最良の形態】
【００２１】
以下、図面を参照して、本発明の内燃機関の排気浄化装置及び排気浄化方法に関する実施形態について具体的に説明する。ただし、かかる実施形態は、本発明の一態様を示すものであり、この発明を限定するものではなく、本発明の範囲内で任意に変更することが可能である。
【００２２】
［第１の実施の形態］
本発明の第１の実施の形態は、内燃機関の排気通路中に配置され、内燃機関から排出される排気ガス中のＮＯXを選択的に還元するためのＮＯX触媒と、ＮＯX触媒の上流側で排気通路内に還元剤を噴射するための還元剤噴射装置と、を備えた内燃機関の排気浄化装置である。
本実施形態の排気浄化装置において、還元剤噴射装置は、貯蔵タンクから圧送されてくる還元剤を噴射する噴射弁と、噴射弁から噴射された還元剤を微粒化するための圧縮エア供給手段と、還元剤をＮＯX触媒の上流側で排気通路内に噴射する噴射孔と、を備え、噴射弁と噴射孔との間に、還元剤を、当該還元剤の主成分の融点以上に加熱するための加熱手段を備えることを特徴とする。
以下、本実施形態にかかる排気浄化装置の構成について、図１及び図２に基づいて具体的に説明する。
【００２３】
（１）内燃機関及び排気通路
排気ガスを排出する内燃機関５としては、ディーゼルエンジンやガソリンエンジンが典型的であるが、現状においてＮＯXの浄化が課題とされるディーゼルエンジンを対象とすることが適している。また、内燃機関５の回転数や、燃料噴射量、燃料噴射タイミング等を検出する内燃機関の運転状態検出手段１７を備えるとともに、当該検出結果を考慮してＮＯX濃度を推定したり、還元剤噴射量を制御したりできるように構成してあることが好ましい。
また、排気通路１１は、内燃機関５の排気ガスの排出口に接続されており、その途中に、ＮＯXを還元するためのＮＯX触媒１３が備えられている。かかる排気通路の断面形状は、円形、楕円、あるいは角柱の排気通路等、特に制限されるものではない。
【００２４】
（２）ＮＯX触媒
本実施形態の排気浄化装置１０に用いられるＮＯX触媒１３は、還元剤噴射装置３０によって供給される還元剤を用いて、排気ガス中に含まれるＮＯXを選択的に還元するための触媒である。例えば、還元剤として尿素水を用いた場合には、排気通路中に噴射された尿素水が排気ガス中の熱によって加水分解して生成されたアンモニアによって、排気ガス中に含まれるＮＯXの還元反応を促進する働きを持つ。これによって、ＮＯXを窒素と水とに効率的に分解して放出することができる。
使用できるＮＯX触媒は特に制限されるものではなく、公知のもの、例えば、多孔質担体上に、活性成分としてのストロンチウム又はバリウム、及びマグネシウム等のアルカリ土類金属や、セリウムとランタン等の希土類金属、白金とロジウム等の貴金属等を含むものを用いることができる。
【００２５】
（３）還元剤噴射装置
（３）−１  基本的構成
還元剤噴射装置３０は、排気ガス中のＮＯXを還元させる還元剤を、ＮＯX触媒１３の上流側で排気通路１１中に噴射するための装置である。
かかる還元剤噴射装置３０の基本的構成を図２に示す。この還元剤噴射装置３０は、液体の還元剤が貯蔵された貯蔵タンク３１と、貯蔵タンク３１から加圧ポンプ３５によって汲み上げられた還元剤を噴射する噴射弁（インジェクタ）３６と、インジェクタ３６から噴射された還元剤を微粒化するための圧縮エア供給手段（エアポンプ）３３と、微粒化された還元剤をＮＯX触媒１３の上流側で排気通路１１中に噴射する噴射孔１５と、を備えている。すなわち、貯蔵タンク３１内の液体の還元剤をインジェクタ３６により混合室内に噴射するとともに、エアポンプ３３で発生させた高圧エアを送り込み、還元剤を微粒化した上で、噴射ノズル１５を介して排気通路中に噴射させることができる。
【００２６】
（３）−２  加熱手段
ここで、本実施形態の排気浄化装置１０においては、還元剤噴射装置３０における噴射弁（インジェクタ）３６と噴射孔１５との間に、霧状にされた還元剤を、当該還元剤の主成分の融点以上に加熱するための加熱手段２０を備えることを特徴とする。かかる加熱手段２０を備えることにより、インジェクタ３６と噴射孔１５との間において、還元剤の主成分が結晶化することを防ぐことができる。
より具体的には、還元剤が尿素水である場合に、含まれる水分の沸点（１００℃）よりも尿素の沸点（約１３５℃）の方が高く、およそ８０℃未満の温度領域においては、液体の尿素水として存在するものの、およそ８０〜１３０℃の温度領域においては、水分のみが蒸発し、尿素が結晶化するおそれがある。したがって、尿素が結晶化しそうな温度領域（およそ８０〜１３０℃）にある場合には、加熱手段を作動させ、尿素自体を融点以上の温度に加熱することにより、尿素の結晶化を防止することができる。
したがって、排気通路内に、還元剤を安定的に噴射することができ、排気ガス中のＮＯXを効率的に還元し、排気ガスを浄化することができる。
【００２７】
かかる加熱手段を備えた還元剤噴射装置の具体的な構成例について、図３〜図５を参照して説明する。
図３（ａ）〜（ｂ）は、加熱手段としてグロープラグ２０Ａを備え、排気通路１１に取り付けられた状態の還元剤噴射装置３０の一部を示しており、図３（ａ）は、排気通路１１に取り付けられた状態の還元剤噴射装置３０を上方から見た図であり、図３（ｂ）は、図３（ａ）中のＡＡ断面を矢印方向から見た断面図である。また、図４（ａ）〜（ｃ）は、還元剤噴射装置３０の全体構成を示しており、図４（ａ）は、還元剤噴射装置３０を側方から見た図であり、図４（ｂ）は、図４（ａ）の還元剤噴射装置３０を矢印Ｂ方向から見た図であり、図４（ｃ）は、図４（ａ）の還元剤噴射装置３０のＣＣ断面を矢印方向から見た断面図である。また、図５（ａ）〜（ｃ）は、グロープラグ２０Ａが装着された還元剤通路（ノズル部）４４を示しており、図５（ａ）は、ノズル部４４及びグロープラグ２０Ａを噴射孔側（図５（ｃ）中の矢印Ｆ方向）から見た図であり、図５（ｂ）は、図５（ａ）中のＤＤ断面を矢印方向から見た断面図であり、図５（ｃ）は、図５（ａ）中のＥＥ断面を矢印方向から見た断面図である。
【００２８】
図３（ａ）〜（ｂ）に示すように、還元剤噴射装置３０は、排気通路１１に固定されたフランジ部４１に取り付けられており、このフランジ部４１には、温度測定手段としての熱電対２１Ａを固定するためのコネクタ部４２が設けられている。かかるコネクタ部４２を備えることにより、温度測定手段を容易に配置することができる。
また、還元剤噴射装置３０は、フランジ部４１に対して、ガスケット４３を介してボルト等により固定されている。このガスケット４３を備えることにより、フランジ部４１と還元剤噴射装置３０との間に間隙が形成され、排気通路１１から受ける伝熱面積が低減されるとともに、気密性が確保されている。
【００２９】
また、図４（ａ）〜（ｃ）に示すように、還元剤を噴射孔１５に導くノズル部４４には、インジェクタ３６を排気通路（図示せず）の熱から遮熱するとともにインジェクタ３６を固定するためのブラケット４５が取り付けられている。このブラケット４５に対してインジェクタ３６が挿入されるとともに、インジェクタ３６におけるブラケット４５とは反対側にはアダプタ４６が取り付けられ、固定クリップ４７及び固定ボルト４８によって、ブラケット４５に対して強固に固定されている。
このようにインジェクタ３６が取り付けられていることにより、インジェクタ３６を排気通路から離れた位置に配置できるとともに、ブラケット４５が放熱板としても作用し、インジェクタ３６が高温の熱に犯されることを防止することができる。したがって、使用可能なインジェクタの種類が制限されることがなく選択の幅が広がる。
【００３０】
また、インジェクタ３６には、貯蔵タンク（図示せず）から加圧ポンプ（図示せず）を介して液体還元剤が供給され、インジェクタ３６の作動周波数やパルス幅を調整することにより、還元剤の供給量が制御される。
さらに、ノズル部４４には、空気供給管４９が接続されるとともに、後述する圧縮エア供給手段（図示せず）が、弁を介して接続されている。
【００３１】
また、図５（ａ）〜（ｃ）に示すように、ノズル部４４はノズル本体部５１とホルダ部５２とからなり、ホルダ部５２には加熱手段としてのグロープラグ２０Ａが締め付け固定されている。また、ホルダ部５２にはエア供給通路５３が設けられているとともに、当該エア供給通路５３の途中に還元剤の供給通路５４が接続され、霧状の還元剤がノズル本体部５１に供給されるように流路が形成されている。また、ノズル本体部５１は、ガスケット５５を介して、ホルダ部５２と固定用ボルト５６によって締め付け固定されている。このホルダ部５２とノズル本体部５１との間には、ガスケット５５によって間隙が形成され、気密性を確保しつつ、伝熱面積の低減が図られている。
【００３２】
（３）−３  凹凸面
また、図５（ａ）〜（ｃ）に示すノズル本体部５１は、グロープラグ２０Ａと対峙する内周面が凹凸面とされている。このような凹凸面を設けることにより、霧状の還元剤がノズル部４４を通過する際に乱れが大きくなり、還元剤の微粒化を促進させることができる。また、還元剤の流路の表面積が大きくなるため、ノズル部４４を通過する還元剤が、グロープラグ２０Ａから受ける受熱効率の向上を図ることができる。
また、このような凹凸面を設けるにあたり、ノズル本体部５１の内面に螺旋溝５７を形成することが好ましい。このような螺旋溝５７とすることにより、還元剤がグロープラグ２０Ａに接しながら流れる通路の全長を長くすることができるため、受熱効率をさらに向上することができるためである。
【００３３】
ただし、ノズル本体部の内面に螺旋溝を形成する場合に、図６（ａ）〜（ｃ）に示すように、ノズル本体部５１の内周面に螺旋溝５７が設けられた領域Ａを設ける一方、グロープラグ２０Ａとノズル本体部５１の内周面とが接するとともに、その一部に流路５９が形成された領域Ｂを設けることが好ましい。このように構成することにより、螺旋溝５７が形成された領域Ａにおいて微粒化や受熱効率の向上を図るとともに、領域Ｂにおいてグロープラグ２０Ａの熱をノズル本体５１に伝達することができ、さらなる受熱効率の向上と制御性の向上を図ることができる。
なお、図６（ａ）はグロープラグ２０Ａが装着されたノズル部４４の断面図であり、図６（ｂ）は、図６（ａ）中のＧＧ断面を矢印方向から見た断面図であり、図６（ｃ）は、図６（ａ）中のＨＨ断面を矢印方向から見た断面図である。
【００３４】
（３）−４  噴射孔の配置位置
ここで、図３（ｂ）に示すように、排気通路１１内に還元剤を噴射する噴射孔１５を、排気通路１１の内周面１１ａと実質的に同一の面に備えることが好ましい。噴射孔１５をこのように配置することにより、排気ガスの温度の影響によって噴射孔１５付近の還元剤が加熱され、還元剤の主成分が結晶化することを防止することができるためである。
具体的には、図７（ａ）に示すように、噴射ノズル２１５が排気通路２２０内に突出して配置されている場合には、排気ガスの温度の影響を受けやすくなり、排気ガスが高温状態にあると還元剤中の水分のみが蒸発して、結晶化を生じやすい。これに対し、図７（ｂ）に示すように、噴射孔１５を排気通路１１の内周面１１ａと実質的に同一の面に備える場合には、排気ガスの温度の影響を受けにくくできるために、還元剤の結晶化を抑えることができる。
【００３５】
（３）−５  温度測定手段
また、図３（ａ）〜（ｂ）に示すように、噴射孔１５の近傍に、噴射孔１５付近における還元剤の温度を測定するための温度測定手段２１を備えることが好ましい。かかる温度測定手段２１を備えることにより、還元剤が結晶化しやすい状態にあるかどうかを検知して、加熱手段２０をタイミングよく作動させることができるためである。
すなわち、当該温度測定手段２１により測定される温度をもとに、直接的に加熱手段２０の作動タイミングを計ることもでき、あるいは、温度測定手段２１により測定される温度をもとに、加熱手段２０を作動させる制御手段（図１中５８）を補正することもできる。
かかる温度測定手段は、温度センサをはじめとして特に制限されるものではないが、例えば、図３（ａ）〜（ｂ）に示す還元剤噴射装置３０においては、熱電対２１Ａが用いられている。熱電対を用いることにより、生産コストを低く抑えながら、良好な計測レスポンスが得られ、制御性の向上を図ることができる。
【００３６】
（３）−６  圧縮エア供給手段
また、図２に示す圧縮エア供給手段３３としては、専用のエアポンプを用いることもできるし、あるいはエンジン側のコンプレッサーを併用して用いることもできる。エンジン側のコンプレッサーを使用した場合には、部品点数を減らすことができ、生産コストを抑えることができる。
なお、かかる圧縮エア供給手段を備えていることにより、還元剤噴射後においては、加熱手段で加熱しつつ圧縮エアを供給することにより、ノズル部の還元剤を洗浄することができるため、エンジンの停止中等における目詰まりの発生を防止することができる。また、図示しないが、インジェクタ内にエア通路を連結しておき、エアを供給すれば、インジェクタ内部に残留する還元剤を除去することもできるため、還元剤噴射の安定性をより向上させることができる。
【００３７】
（３）−７  還元剤
また、還元剤としては、尿素水、アンモニア水溶液が典型的であるが、燃料（ＨＣ）を用いることもでき、さらには、ＮＯXを還元させることができるものであれば、好適に使用することができる。
例えば、尿素水を使用した場合には、排気通路中に噴射された尿素が排気ガス中の熱によって加水分解することによりアンモニア（ＮＨ3）が生成され、このＮＨ3と排気ガス中のＮＯX（ＮＯやＮＯ2）がＮＯX触媒中で反応することによりＮＯXが還元され、窒素（Ｎ2）と水（Ｈ2Ｏ）に分解されて排出される。
【００３８】
（４）制御手段
また、図１に示すように、本実施形態の排気浄化装置１０は、内燃機関の運転状態をもとに噴射孔１５近傍における還元剤の温度を推定するとともに、推定される温度が所定範囲内の温度である場合に、加熱手段２０を作動させるための制御手段５８を備えている。この制御手段５８によって、還元剤の温度が、還元剤の主成分が結晶化しやすい温度領域（還元剤が尿素水の場合には約８０〜１３０℃）にある場合に、加熱手段２０を速やかに作動させて、結晶化を防ぐことができる。
例えば、内燃機関の回転数や燃料噴射量、噴射タイミング等の運転状態をもとに推定される排気ガス温度から、当該排気ガス温度の影響を受けた場合に推定される還元剤の温度情報に関するマップをあらかじめ組み入れ、当該マップ情報に基づき加熱手段を作動させることができる。
【００３９】
また、上述のマップ情報に基づき加熱手段を作動させるにあたり、噴射孔の近傍に、上述した温度測定手段を備える場合には、温度制御手段で測定される還元剤の温度情報をもとに、制御手段の補正を行う補正手段を備えることが好ましい。これによって、加熱手段の作動時期をより緻密に制御することができる。
一方、上述した温度測定手段を備える場合には、測定される温度情報に基づいて直接的に加熱手段を作動させることもできる。
【００４０】
さらに、制御手段によって推定される温度が所定範囲内にある場合であっても、還元剤の噴射量が所定量以上の場合には、加熱手段を作動させないように制御することが好ましい。すなわち、還元剤の噴射量が所定量以上であれば、ノズル部内で還元剤が滞留するおそれが少なく、還元剤の結晶化の危険性が小さいためである。
【００４１】
［第２の実施の形態］
本発明の第２の実施の形態は、第１の実施の形態の内燃機関の排気浄化装置を用いて行われる排気浄化方法であって、内燃機関から排出される排気ガス中に噴射孔を介して還元剤を噴射し、当該還元剤が混合された排気ガスをＮＯX触媒に流入させることにより、排気ガス中のＮＯXを選択的に還元して排気ガスを浄化する内燃機関の排気浄化方法である。
かかる内燃機関の排気浄化方法は、還元剤の温度が所定範囲内の温度である場合に加熱手段を作動させることにより、還元剤を、当該還元剤の主成分の融点以上に加熱することを特徴とする。
なお、以下の排気浄化方法は、図３に示す、加熱手段としてグロープラグ２０Ａを用いた還元剤噴射装置３０を用いた例である。
【００４２】
図１に示す排気浄化装置１０において、内燃機関５から排出される排気ガスに対して、ＮＯX触媒１３の上流側の排気通路に配置された還元剤噴射装置３０の噴射孔１５から噴射された還元剤が混合される。この還元剤が混合された排気ガスがＮＯX触媒１３に流入し、還元剤による排気ガス中のＮＯXの還元反応が促進され、排気ガスが効率的に浄化される。
噴射される還元剤の量は、内燃機関５の回転数や燃料噴射量、噴射タイミング等から推定される排気ガス中のＮＯX量に応じて設定される。
【００４３】
このように還元剤を供給するにあたり、内燃機関５の運転状態等をもとに、噴射孔１５近傍で排気ガス温度の影響を受ける還元剤の温度を推定し、当該還元剤温度が所定範囲内（尿素水の場合、例えば８０〜１３０℃）にある場合には、図３に示すグロープラグ２０Ａを作動させ、還元剤通路（ノズル部と称する場合がある）４４を通過する還元剤を、還元剤の主成分の融点以上（尿素の場合約１３５℃以上）に加熱する。これによって、ノズル部４４内において還元剤の主成分が結晶化することを防止することができ、還元剤を安定的に噴射させることができる。したがって、排気ガス中のＮＯXを効率的に還元し、排気ガスの浄化効率を向上させることができる。
【００４４】
また、上述のように還元剤の温度を推定する場合に、還元剤噴射装置３０のノズル部４４に接続された熱電対２１Ａにより噴射孔１５近傍の還元剤の温度を測定するとともに、当該温度に基づいてグロープラグ２０Ａの作動タイミングの補正を行うことが好ましい。これによって、グロープラグ２０Ａをより適切なタイミングで作動させることができる。
【００４５】
さらに、還元剤の温度に基づいてグロープラグ２０Ａを作動させる場合であっても、還元剤の噴射量が所定量を超える場合には、グロープラグ２０Ａを作動させないように制御することが好ましい。このように制御することにより、グロープラグ２０Ａの作動時間を最小限にすることができるために、エネルギ利用効率を低下させないようにできるためである。
【００４６】
なお、図３に示す還元剤噴射装置３０を用いた場合、インジェクタ３６部分は排気通路１１から離れた位置に固定されているとともに、ブラケット４５によって遮熱されているために、インジェクタ３６内の還元剤が排気ガスの温度の影響を受けて結晶化する可能性は極めて低くなっている。
【００４７】
以上のように、グロープラグを適宜作動させながら還元剤を噴射させることにより、内燃機関の運転時において、還元剤がインジェクタやノズル部において結晶化することを防止することができる。したがって、運転時においては、排気通路中に還元剤を安定的に噴射させることができ、排気ガス中のＮＯXを効率的に還元除去することができる。
一方、内燃機関の停止時には、還元剤の供給を中止し、グロープラグを作動させるとともに圧縮エア供給手段から圧縮エアを供給することにより、ノズル部に残留する還元剤を排気通路内に放出させることができる。また、圧縮エアを供給し、還元剤の貯蔵タンクからの圧送をしない状態でインジェクタを開放することにより、インジェクタ及び貯蔵タンクからインジェクタまでの間の還元剤通路内の還元剤を除去することができる。したがって、内燃機関が停止している間に、インジェクタやノズル部等において還元剤が結晶化することを防ぐことができ、次回の内燃機関の始動時に、還元剤を速やかにかつ安定的に噴射させることができる。
【図面の簡単な説明】
【００４８】
【図１】第１の実施の形態の内燃機関の排気浄化装置の全体構成を説明するために供する図である。
【図２】第１の実施の形態の排気浄化装置に備えられた還元剤噴射装置の構成例を示す図である。
【図３】還元剤噴射装置の要部の構成を説明するために供する図である（その１）。
【図４】還元剤噴射装置の要部の構成を説明するために供する図である（その２）。
【図５】還元剤噴射装置の要部の構成を説明するために供する図である（その３）。
【図６】ノズル本体部の内周面の形状について説明するために供する図である。
【図７】噴射孔の位置と排気ガスからの受熱の影響との関係について説明するために供する図である。
【図８】従来の排気浄化装置の構成を説明するために供する図である。
【符号の説明】
【００４９】
５：内燃機関、１０：排気浄化装置、１１：排気通路、１３：ＮＯX触媒、１５：噴射孔、１７：運転状態検知手段、１９：酸化触媒、２０：加熱手段、２０Ａ：グロープラグ、２１：温度測定手段、２１Ａ：熱電対、３０：還元剤噴射装置、３１：貯蔵タンク、３３：エアポンプ、３５：加圧ポンプ、３６：インジェクタ、４１：フランジ部、４２：コネクタ部、４３：ガスケット、４４：ノズル部、４５：ブラケット、４６：アダプタ、４７：固定クリップ、４８：固定ボルト、４９：空気供給管、５１：ノズル本体部、５２：ホルダ部、５３：エア供給通路、５４：還元剤供給通路、５５：ガスケット、５６：固定用ボルト、５７：螺旋溝、５８：制御手段、５９：流路
【図１】
2007231894.tif 000003
【図２】
2007231894.tif 000004
【図３】
2007231894.tif 000005
【図４】
2007231894.tif 000006
【図５】
2007231894.tif 000007
【図６】
2007231894.tif 000008
【図７】
2007231894.tif 000009
【図８】
2007231894.tif 000010